(57)【要約】【課題】本発明は、簡単に施設情報の更新を行ってメーカーおよびユーザの双方の負担を大幅に減らすことが可能なデータ更新装置およびデータ更新方法を提供することを目的とする。【解決手段】本発明によるデータ更新装置１は、端末から発信されたメールであって施設に関する情報である施設情報の更新を通知する施設更新メールを受信するメール受信部２と、表示部４に施設情報が表示されているときにメール受信部２が受信した施設更新メールに基づいて、表示部４に表示されている施設情報を更新した施設更新データを作成する施設更新データ作成部３とを備える。【選択図】図１
2018194989.tif 000002
【特許請求の範囲】
【請求項１】
端末から発信されたメールであって施設に関する情報である施設情報の更新を通知する施設更新メールを受信するメール受信部と、
表示部に前記施設情報が表示されているときに前記メール受信部が受信した前記施設更新メールに基づいて、前記表示部に表示されている前記施設情報を更新した施設更新データを作成する施設更新データ作成部と、
を備える、データ更新装置。
【請求項２】
前記施設更新データ作成部が作成した前記施設更新データは、元の前記施設情報とは別個に記憶されることを特徴とする、請求項１に記載のデータ更新装置。
【請求項３】
前記施設情報を前記表示部に表示する制御を行う表示制御部をさらに備え、
前記表示制御部は、更新前の前記施設情報に代えて、前記施設更新データに基づく更新後の前記施設情報を前記表示部に表示する制御を行うことを特徴とする、請求項２に記載のデータ更新装置。
【請求項４】
前記表示制御部は、元の前記施設情報に含まれる前記施設の位置情報に基づいて前記施設更新データを前記表示部に表示する制御を行うことを特徴とする、請求項３に記載のデータ更新装置。
【請求項５】
前記施設更新データ作成部が作成した前記施設更新データは、元の前記施設情報に上書きして記憶されることを特徴とする、請求項１に記載のデータ更新装置。
【請求項６】
前記施設更新データは、元の前記施設情報に含まれる前記施設の位置情報を引き継いで記憶されることを特徴とする、請求項５に記載のデータ更新装置。
【請求項７】
前記施設更新データ作成部は、前記メール受信部が受信した施設更新メールに含まれるテキストを解析して前記施設の種別を決定することを特徴とする、請求項１から６のいずれか１項に記載のデータ更新装置。
【請求項８】
前記更新の通知元にメールを送信するメール送信部をさらに備え、
前記メール送信部は、前記施設更新データ作成部が前記施設更新データを作成した場合において、前記施設更新データが作成された旨のメールを前記更新の通知元に送信することを特徴とする、請求項１から７のいずれか１項に記載のデータ更新装置。
【請求項９】
前記更新の通知元にメールを送信するメール送信部をさらに備え、
前記メール送信部は、前記施設更新データ作成部が前記施設更新データを作成しなかった場合において、前記施設更新データが作成されなかった旨のメールを前記更新の通知元に送信することを特徴とする、請求項１から７のいずれか１項に記載のデータ更新装置。
【請求項１０】
前記更新の通知元にメールを送信するメール送信部をさらに備え、
前記データ更新装置が自車両に搭載され、前記自車両のエンジンが動作していない状態で前記更新の通知元が前記施設更新メールを送信した場合において、
前記メール受信部は、前記車両のエンジンが始動すると、外部のサーバが前記更新の通知元から送信された前記施設更新メールを保持していることを確認し、
前記メール送信部は、前記施設更新データが作成されなかった旨のメールを前記更新の通知元に送信することを特徴とする、請求項１から７のいずれか１項に記載のデータ更新装置。
【請求項１１】
前記更新の通知元にメールを送信するメール送信部をさらに備え、
前記メール受信部が、予め登録した前記更新の通知元のメールアドレス以外の他のメールアドレスから前記施設更新メールを受信した場合において、
前記メール送信部は、前記施設情報を更新できない旨のメールを前記他のメールアドレスに送信することを特徴とする、請求項１から７のいずれか１項に記載のデータ更新装置。
【請求項１２】
前記施設更新データは、更新日に対応付けて記憶され、
前記表示部に地図が表示され、ユーザが過去の前記地図を表示する操作を行った場合において、
前記表示制御部は、前記操作に応じて、前記更新日に対応する前記施設更新データを前記表示部に表示する制御を行うことを特徴とする、請求項３に記載のデータ更新装置。
【請求項１３】
端末から発信されたメールであって施設に関する情報である施設情報の更新を通知する施設更新メールを受信し、
表示部に前記施設情報が表示されているときに前記受信した前記施設更新メールに基づいて、前記表示部に表示されている前記施設情報を更新した施設更新データを作成する、データ更新方法。
【発明の詳細な説明】
【技術分野】
【０００１】
本発明は、施設情報の更新を行うデータ更新装置およびデータ更新方法に関する。
【背景技術】
【０００２】
従来、日々更新される施設情報に対応するために、地図データに含まれる施設情報を変更する技術が知られている。
【０００３】
例えば、地図データ配信センタが保有する施設情報の中から、ユーザが予め選択した施設について施設情報の更新を行う技術が開示されている（例えば、特許文献１参照）。また、ナビゲーションメーカーが管理するデータサーバに施設情報を格納し、データサーバの施設情報が古い場合、携帯通信端末機の所有者が施設の更新情報をデータサーバに送信することによってデータサーバの施設情報を更新する技術が開示されている（例えば、特許文献２参照）。
【先行技術文献】
【特許文献】
【０００４】
【特許文献１】特開２０１１−１４５２６０号公報
【特許文献２】特開２０１３−２０６２０７号公報
【発明の概要】
【発明が解決しようとする課題】
【０００５】
特許文献１では、全国で日々更新される全ての施設情報を把握して施設情報の更新を行っているため、地図データ配信センタを管理するナビゲーションメーカーの負担が大きいという問題がある。また、ユーザにとっては、地図データ配信センタが膨大な手間をかけて更新された施設情報のうちの一部の施設情報しか利用しないにもかかわらず、配信サービスに高額な料金を支払う必要があるという問題がある。
【０００６】
また、特許文献２では、データサーバの管理、保守、および点検に手間がかかるため、ナビゲーションメーカーの負担が大きいという問題がある。
【０００７】
本発明は、このような問題を解決するためになされたものであり、簡単に施設情報の更新を行ってメーカーおよびユーザの双方の負担を大幅に減らすことが可能なデータ更新装置およびデータ更新方法を提供することを目的とする。
【課題を解決するための手段】
【０００８】
上記の課題を解決するために、本発明によるデータ更新装置は、端末から発信されたメールであって施設に関する情報である施設情報の更新を通知する施設更新メールを受信するメール受信部と、表示部に施設情報が表示されているときにメール受信部が受信した施設更新メールに基づいて、表示部に表示されている施設情報を更新した施設更新データを作成する施設更新データ作成部とを備える。
【０００９】
また、本発明によるデータ更新方法は、端末から発信されたメールであって施設に関する情報である施設情報の更新を通知する施設更新メールを受信し、表示部に施設情報が表示されているときにメール受信部が受信した施設更新メールに基づいて、表示部に表示されている施設情報を更新した施設更新データを作成する。
【発明の効果】
【００１０】
本発明によると、データ更新装置は、端末から発信されたメールであって施設に関する情報である施設情報の更新を通知する施設更新メールを受信するメール受信部と、表示部に施設情報が表示されているときにメール受信部が受信した施設更新メールに基づいて、表示部に表示されている施設情報を更新した施設更新データを作成する施設更新データ作成部とを備えるため、簡単に施設情報の更新を行ってメーカーおよびユーザの双方の負担を大幅に減らすことが可能となる。
【００１１】
また、データ更新方法は、端末から発信されたメールであって施設に関する情報である施設情報の更新を通知する施設更新メールを受信し、表示部に施設情報が表示されているときにメール受信部が受信した施設更新メールに基づいて、表示部に表示されている施設情報を更新した施設更新データを作成するため、簡単に施設情報の更新を行ってメーカーおよびユーザの双方の負担を大幅に減らすことが可能となる。
【図面の簡単な説明】
【００１２】
【図１】本発明の実施の形態１によるデータ更新装置の構成の一例を示すブロック図である。
【図２】本発明の実施の形態１によるデータ更新装置の構成の一例を示すブロック図である。
【図３】本発明の実施の形態１によるデータ更新装置の使用の一例を示す図である。
【図４】本発明の実施の形態１によるデータ更新装置のハードウェア構成の一例を示すブロック図である。
【図５】本発明の実施の形態１による施設リストの一例を示す図である。
【図６】本発明の実施の形態１による施設周辺の地図の一例を示す図である。
【図７】本発明の実施の形態１による施設の詳細情報の一例を示す図である。
【図８】本発明の実施の形態１による施設更新メールの一例を示す図である。
【図９】本発明の実施の形態１による施設データの一例を示す図である。
【図１０】本発明の実施の形態１による施設更新データの一例を示す図である。
【図１１】本発明の実施の形態１による施設種別変換表の一例を示す図である。
【図１２】本発明の実施の形態１による種別ごとの施設リストの一例を示す図である。
【図１３】本発明の実施の形態１による更新後の施設リストの一例を示す図である。
【図１４】本発明の実施の形態１による更新後の施設周辺の地図の一例を示す図である。
【図１５】本発明の実施の形態１による更新後の施設の詳細情報の一例を示す図である。
【図１６】本発明の実施の形態１による更新後の施設の履歴の一例を示す図である。
【図１７】本発明の実施の形態１による更新後の施設の履歴の一例を示す図である。
【図１８】本発明の実施の形態１によるアイコンを選択する画面の一例を示す図である。
【図１９】本発明の実施の形態１によるデータ更新装置の動作の一例を示す図である。
【図２０】本発明の実施の形態１による自車両のマークを含む地図の表示の一例を示す図である。
【図２１】本発明の実施の形態１による登録地の文字列を入力する画面の一例を示す図である。
【図２２】本発明の実施の形態１によるデータ更新装置の動作の一例を示す図である。
【図２３】本発明の実施の形態２による施設周辺の地図の一例を示す図である。
【図２４】本発明の実施の形態２による過去の施設周辺の地図の一例を示す図である。
【図２５】本発明の実施の形態５によるデータ更新装置の構成の一例を示すブロック図である。
【図２６】本発明の実施の形態５による施設データの一例を示す図である。
【図２７】本発明の実施の形態６によるデータ更新装置の一例を示すブロック図である。
【図２８】本発明の実施の形態６による更新後の施設の詳細情報の一例を示す図である。
【発明を実施するための形態】
【００１３】
本発明の実施の形態について、図面に基づいて以下に説明する。
【００１４】
＜実施の形態１＞
＜構成＞
まず、本発明の実施の形態１によるデータ更新装置の構成について説明する。
【００１５】
図１は、本発明の実施の形態１によるデータ更新装置１の構成の一例を示すブロック図である。なお、図１では、本実施の形態によるデータ更新装置を構成する必要最小限の構成を示している。
【００１６】
図１に示すように、データ更新装置１は、メール受信部２と施設更新データ作成部３とを備えている。メール受信部２は、端末から発信されたメールであって施設に関する情報である施設情報の更新を通知する施設更新メールを受信する。施設更新データ作成部３は、表示部４に施設情報が表示されているときにメール受信部２が受信した施設更新メールに基づいて、表示部４に表示されている施設情報を更新した施設更新データを作成する。
【００１７】
次に、図１に示すデータ更新装置１を含むデータ更新装置の他の構成について説明する。
【００１８】
図２は、他の構成に係るデータ更新装置５の構成の一例を示すブロック図である。
【００１９】
図２に示すように、データ更新装置５は、メール処理部６と、ナビゲーション処理部９とを備えている。メール処理部６は、メール受信部２と、施設更新データ作成部３と、メール文作成部７と、メール送信部８とを備えている。また、メール処理部６は、固有のメールアドレスを保持しており、ユーザ端末２１と通信可能に接続されている。ユーザ端末２１は、ユーザが使用するメール通信機能を有する端末であり、携帯電話、スマートフォン、またはタブレット端末等の携帯通信端末、およびパーソナルコンピュータ等の端末を含む。ここで、メール処理部６とメールの送受信を行う端末のことを相手先端末といい、相手先端末のうち特にユーザが使用する端末のことをユーザ端末という。以下では、ユーザ端末２１を一例として説明する。
【００２０】
ユーザ端末２１がメール処理部６のメールアドレス宛てに施設更新メールを送信すると、メール受信部２は施設更新メールを受信する。施設更新データ作成部３は、メール受信部２が受信した施設更新メールに基づいて施設更新データを作成する。施設更新データ作成部３が作成した施設更新データは、施設更新データ記憶部１５に記憶される。メール文作成部７は、ユーザ端末２１に対するメール文を作成する。メール送信部８は、メール文作成部７が作成したメールをユーザ端末２１に送信する。
【００２１】
ナビゲーション処理部９は、位置検出部１０と、経路探索部１１と、経路記憶部１２と、経路案内部１３と、表示制御部１４と、施設更新データ記憶部１５とを備えており、一般的なナビゲーション機能である経路誘導機能を実現している。位置検出部１０は、ＧＰＳ（Global Positioning System）センサ１６、車輪速センサ１７、および角速度センサ１８に接続されている。表示制御部１４は、表示部４、操作部１９、および地図データ記憶装置２０に接続されている。
【００２２】
位置検出部１０は、自車両に設置されたＧＰＳセンサ１６、車輪速センサ１７、および角速度センサ１８の各々が検出したセンサ信号を取得し、これらのセンサ信号を用いて自車両の現在位置を検出する。経路探索部１１は、位置検出部１０が検出した自車両の現在位置と、地図データ記憶装置２０から取得した地図データとに基づいて、自車両の現在位置から目的地までの経路を探索する。なお、目的地は、操作部１９を介してユーザによって設定される。操作部１９は、例えばタッチパネルであってもよい。操作部１９がタッチパネルである場合、操作部１９と表示部４とは一体であってもよい。以下では、操作部１９はタッチパネルであるものとして説明する。
【００２３】
地図データ記憶装置２０は、例えばハードディスク、ＤＶＤ（Digital Versatile Disc）、または半導体メモリ等の記憶媒体から構成されており、地図データを記憶している。地図データは、道路データ、ポリゴンデータ、および施設データ等を含む。道路データは、交差点の位置情報を示すノードデータと、各ノードデータの連結情報であるリンクデータとを含む。ポリゴンデータは、市街地、緑地、および水系の範囲を示す。施設データは、ホテルおよびレストラン等の施設の位置、施設の種別、および施設の電話番号等の詳細情報を含む。施設データは、上述の施設情報と同義である。
【００２４】
経路記憶部１２は、例えばハードディスクまたは半導体メモリ等の記憶媒体から構成されており、経路探索部１１が探索した経路を記憶する。経路案内部１３は、経路記憶部１２が記憶している経路をユーザに案内する経路案内データを作成する。
【００２５】
表示制御部１４は、経路案内部１３が作成した経路案内データに基づいて、目的地までの経路案内に関する情報を表示部４に表示する制御を行う。このとき、表示制御部１４は、必要に応じて地図データ記憶装置２０から地図データを取得し、経路案内に関する情報とともに地図を表示部４に表示する制御を行う。また、表示制御部１４は、操作部１９に対するユーザの操作に基づいて、後述する施設リスト、任意の施設周辺の地図、施設の詳細情報等を表示部４に表示する制御を行う。
【００２６】
施設更新データ記憶部１５は、例えばハードディスク（Hard Disk Drive：HDD）または半導体メモリ等の記憶媒体から構成されており、施設更新データ作成部３から受け取った施設更新データを元の施設データに対応付けて記憶する。ここで、元の施設データとは、後述する地図データ記憶装置２０に記憶している地図データに含まれるオリジナルの施設データのことをいう。このように、施設更新データ作成部３が作成した施設更新データは、元の施設データとは別個に記憶されている。
【００２７】
図２では、ＧＰＳセンサ１６、車輪速センサ１７、角速度センサ１８、表示部４、操作部１９、および地図データ記憶装置２０がデータ更新装置５の外部に設けられている場合について示しているが、これらの一部または全部をデータ更新装置５が備えるようにしてもよい。
【００２８】
図３は、データ更新装置５の使用の一例を示す図であり、ユーザ２４がユーザ端末２１を使用してデータ更新装置５に施設更新メールを送信する様子を示している。データ更新装置５は、自車両２３に搭載されている。自車両２３は、データ更新装置５が搭載されている移動体の一例である。
【００２９】
自車両２３の所有者であるユーザ２４は、ユーザ端末２１を使用してデータ更新装置５に施設更新メールを送信することによって、表示部４に表示する施設データを更新することができる。
【００３０】
図４は、データ更新装置５のハードウェア構成の一例を示すブロック図である。なお、データ更新装置１についても同様である。
【００３１】
データ更新装置５におけるメール受信部２、施設更新データ作成部３、メール文作成部７、メール送信部８、位置検出部１０、経路探索部１１、経路案内部１３、および表示制御部１４の各機能は、処理回路により実現される。すなわち、データ更新装置５は、施設更新メールを受信し、施設更新データを作成し、メール文を作成し、メールを送信し、現在位置を検出し、現在位置から目的地までの経路を探索し、経路案内データを作成し、表示部４に対する表示制御を行うための処理回路を備える。処理回路は、メモリ２６に格納されたプログラムを実行するプロセッサ２５（中央処理装置、処理装置、演算装置、マイクロプロセッサ、マイクロコンピュータ、ＤＳＰ（Digital Signal Processor）ともいう）である。
【００３２】
データ更新装置５におけるメール受信部２、施設更新データ作成部３、メール文作成部７、メール送信部８、位置検出部１０、経路探索部１１、経路案内部１３、および表示制御部１４の各機能は、ソフトウェア、ファームウェア、またはソフトウェアとファームウェアとの組み合わせにより実現される。ソフトウェアまたはファームウェアは、プログラムとして記述され、メモリ２６に格納される。処理回路は、メモリ２６に記憶されたプログラムを読み出して実行することにより、各部の機能を実現する。すなわち、データ更新装置５は、施設更新メールを受信するステップ、施設更新データを作成するステップ、メール文を作成するステップ、メールを送信するステップ、現在位置を検出するステップ、現在位置から目的地までの経路を探索するステップ、経路案内データを作成するステップ、表示部４に対する表示制御を行うステップが結果的に実行されることになるプログラムを格納するためのメモリ２６を備える。また、これらのプログラムは、メール受信部２、施設更新データ作成部３、メール文作成部７、メール送信部８、位置検出部１０、経路探索部１１、経路案内部１３、および表示制御部１４の手順または方法をコンピュータに実行させるものであるともいえる。ここで、メモリとは、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク、コンパクトディスク、ミニディスク、ＤＶＤ等、または、今後使用されるあらゆる記憶媒体であってもよい。
【００３３】
図５は、表示部４に表示する施設リストの一例を示す図である。なお、図５では、位置検出部１０が検出した自車両２３の現在位置周辺に存在する施設について、自車両２３からの距離が近い順に示している。
【００３４】
図５中の太枠は、ユーザ２４が操作部１９を介して選択した施設を示している。図５の例では、施設リストの一番上の「Ａ学校００１ｓ」が選択されている状態となっている。なお、操作部１９は、選択リストを上下にスクロールする機能、および選択した施設を押下、すなわち太枠内を押下するなど選択した施設に関する操作を受け付ける機能を有している。ここで、押下するとは、操作部１９であるタッチパネルの表面をタッチすることをいう。
【００３５】
例えば、ユーザ２４が操作部１９を介して「Ｂレストラン００１ｒ」を選択し押下すると、表示部４には図６に示すような「Ｂレストラン００１ｒ」の周辺地図が表示される。図６において、詳細情報ボタン２７、登録地設定ボタン２８、および目的地設定ボタン２９の各々は、「Ｂレストラン００１ｒ」に関する操作を受け付けるためのボタンである。
【００３６】
ユーザ２４が操作部１９を介して図６に示す詳細情報ボタン２７を押下すると、表示制御部１４は、地図データ記憶装置２０から「Ｂレストラン００１ｒ」の詳細情報を読み込み、図７に示すような「Ｂレストラン００１ｒ」の詳細情報を表示部４に表示する制御を行う。詳細情報は、施設の住所、施設の電話番号、および施設の営業時間等、施設に関連する情報である。図７の例では、施設がレストランであるため、お勧めメニューの情報が詳細情報に含まれている。詳細情報は、施設の種別ごとに内容が異なる。例えば、施設が学校である場合、詳細情報には営業時間およびメニューの情報は含まれていない。
【００３７】
次に、ユーザ２４が施設更新メールを送信する場合について説明する。なお、以下では、ユーザ２４は「Ｂレストラン００１ｒ」の前の道路を頻繁に自車両２３で走行しており、「Ｂレストラン００１ｒ」が廃業してその跡地に「１００円ショップ」が営業していることを知っているものとする。
【００３８】
図８は、ユーザ２４がユーザ端末２１に入力した施設更新メールの一例を示す図である。図８において、宛先３０には、メール処理部６のメールアドレスを入力する。件名３１には、施設の名前、図８の例では「１００円ショップ」を入力する。内容３２には、施設の詳細情報を入力する。添付ファイル３３には、施設の外観を撮影した写真を添付する。図８の例では、ユーザ２４は、１００円ショップの住所等は知らないが、店の看板に記載されている１００円ショップの営業時間、電話番号、および公式サイトのＵＲＬのみを詳細情報として内容３２に入力している。
【００３９】
ユーザ２４が図８に示す施設更新メールをデータ更新装置５に送信すると、データ更新装置５のメール処理部６はナビゲーション処理部９にアクセスして表示部４に表示されている画面を確認する。具体的には、メール処理部６のメール受信部２は、施設更新メールを受信するとナビゲーション処理部９の表示制御部１４にアクセスし、表示部４に表示されている画面を確認する。なお、本実施の形態１では、メール受信部２が表示制御部１４にアクセスして表示部４に表示されている画面を確認する場合について説明しているが、これに限るものではない。例えば、施設更新データ作成部３が表示制御部１４にアクセスして表示部４に表示されている画面を確認してもよい。
【００４０】
そして、表示部４に表示されている画面が図５に示す施設リスト、図６に示す施設周辺の地図、または図７に示す施設の詳細情報のいずれかである場合、メール受信部２は、受信した施設更新メールを施設更新データ作成部３に伝達する。なお、表示部４に表示されている画面が図５に示す施設リストである場合、当該施設リストのなかでユーザ２４が選択している施設が、更新対象の施設としてメール受信部２に特定される。図５の例では、「Ａ学校００１ｓ」が選択されているが、表示部４に「Ｂレストラン００１ｒ」が選択された施設リストが表示されている状態でメール受信部２が施設更新メールを受信した場合、メール受信部２は「Ｂレストラン００１ｒ」を更新対象の施設として特定する。
【００４１】
例えば、表示部４に表示されている画面が「Ｂレストラン００１ｒ」に関する画面である場合、施設更新データ作成部３は、「Ｂレストラン００１ｒ」のシリアル番号である「００１ｒ」を含む新たなシリアル番号を付与した施設更新データを作成する。「Ｂレストラン００１ｒ」のシリアル番号は、地図データ記憶装置２０に施設のシリアル番号として記憶されている。施設更新データのシリアル番号は、元の番号すなわち更新前の施設である「Ｂレストラン００１ｒ」のシリアル番号の末尾に３桁の連番を付加したものである。例えば、図８に示す施設更新メールを受信した場合、施設更新データのシリアル番号は「００１ｒ−００１」となる。以下では、図８に示す施設更新メールに基づいて生成された施設更新データを「１００円ショップ００１ｒ−００１」という。施設更新データ作成部３が作成した施設更新データは、施設更新データ記憶部１５に記憶される。
【００４２】
図９は、地図データ記憶装置２０に記憶されている「Ｂレストラン００１ｒ」の施設データの一例を示す図である。図９に示すように、施設データは、シリアル番号３４、緯度経度３５、施設種別３６、施設名称３７、住所３８、および詳細情報３９の６項目を含んでいる。地図上に示されるアイコンデータは施設データとは別個になっており、学校、駅、およびレストラン等の複数の施設を示すアイコンデータの中から、施設種別３６に応じたアイコンデータが選択される。
【００４３】
施設を示すアイコンは、施設の種別に関わらず全て同じサイズで表示部４に表示される。例えば、表示部４の画素数が横８００画素および縦４８０画素である場合、アイコンのサイズは横３２画素および縦３２画素程度であることが望ましい。以下では、アイコンのサイズは横３２画素および縦３２画素であるものとする。
【００４４】
図１０は、施設更新データ記憶部１５に記憶されている「１００円ショップ００１ｒ−００１」の施設更新データの一例を示す図である。図１０に示すように、施設更新データは、シリアル番号４０、施設種別４１、施設名称４２、詳細情報４３、アイコンデータ４４、および更新日付４５の６項目を含んでいる。地図データ記憶装置２０が記憶している図９に示す施設データとは異なり、施設更新データ作成部３が作成する図１０に示す施設更新データには緯度経度および住所の情報が含まれていない。施設更新データに含まれていない緯度経度および住所の情報については、施設データに含まれている緯度経度３５および住所３８の情報を流用、すなわち施設の位置情報を引き継いで使用する。
【００４５】
図１０において、施設名称４２は、図８の件名３１をそのままテキスト化したものである。詳細情報４３は、図８の内容３２をそのままテキスト化したものである。アイコンデータ４４は、図８の添付ファイル３３をアイコンのサイズである横３２画素および縦３２画素にリサイズした画像である。更新日付４５は、ユーザ端末２１が施設更新メールを送信した日付である。
【００４６】
図１０の施設種別４１は、図８の施設更新メールに含まれていない。施設種別４１は、施設更新データ作成部３が図８の件名３１に含まれているテキストを解析して作成する。図１１は、施設更新データ作成部３が施設更新メールの件名３１に含まれているテキストを解析するときに照合する施設種別変換表の一例を示す図である。図１１に示すように、施設種別変換表は、施設種別と検索テキストとが対応付けられている。ここで、施設種別変換表の施設種別は、施設更新データに含まれる施設種別４１に対応する。施設種別変換表の検索テキストは、施設更新メールの件名に含まれるテキストに対応する。例えば、施設更新メールの件名３１に「校」または「スクール」の検索テキストが含まれている場合、施設更新データ作成部３は施設種別４１を「学校」とする。また、施設更新メールの件名３１に「駅」の検索テキストが含まれている場合、施設更新データ作成部３は施設種別４１を「駅」とする。このように、施設更新データ作成部３は、施設更新メールの件名３１に含まれているテキストについて施設種別変換表を参照して解析することによって施設種別４１を作成している。なお、施設更新メールの件名３１に含まれているテキストが施設種別変換表の検索テキストに含まれていない場合、施設更新データ作成部３は施設種別４１を「種別無し」とする。
【００４７】
施設種別４１は、例えば図１２に示すように、施設の種別ごとの施設リストを表示部４に表示するときに使用される。例えば図５に示す施設リストでは、自車両２３の現在位置周辺の施設を自車両２３から近い順に示しているため、様々な種類の施設が同じリストに示されている。一方、図１２に示す施設リストでは、レストランだけのリストを表示している。このように、図５または図１２に示す施設リストの表示は、ユーザ２４が操作部１９を介して操作することによって行われるものであり、ナビゲーション装置の一般的な機能である。
【００４８】
図１３，１４，１５は、図８の施設更新メールを受信して、「Ｂレストラン００１ｒ」から「１００円ショップ００１ｒ００１」に更新した後における施設リスト、施設周辺の地図、および施設の詳細情報の一例を各々示した図である。図１３は、図５を更新した後の施設リストを示している。図１４は、図６を更新した後の施設周辺の地図を示している。図１５は、図７を更新した後の施設の詳細情報を示している。
【００４９】
図１５において、戻すボタン４７は、更新した施設を元の施設に戻すためのボタンである。戻すボタン４７を押下すると、ユーザ端末２１から送信された図８に示す施設更新メールは無効となり、施設更新データ作成部３が作成して施設更新データ記憶部１５に記憶されている施設更新データは削除される。結果的に、図１５に示す施設の詳細情報を示す画面は、図７に示す施設の詳細情報を示す画面に戻る。このように、戻すボタン４７は、ユーザ端末２１から誤った施設更新メールが送信されたときに、これを取り消すためのボタンである。
【００５０】
図１５において、履歴ボタン４８を押下すると、図１６に示すように、過去に更新された施設の履歴が更新日順に表示部４に表示される。図１６に示す履歴を表示することによって、過去に何度も店舗が入れ替わっている場合、過去にどのような店舗があったのか時系列で見ることができる。
【００５１】
過去に施設が複数回変更している場合、図１５の戻すボタン４７を押下しない限り、施設更新データ記憶部１５に記憶されている施設更新データが削除されることはない。例えば、「１００円ショップ００１ｒ−００１」が理髪店に変わり、ユーザ２４がユーザ端末２１を使用して「１００円ショップ００１ｒ−００１」が理髪店に変わった旨の施設更新メールを送信した場合、施設更新データ作成部３は「理髪店００１ｒ−００２」の施設更新データを作成して施設更新データ記憶部１５に記憶する。このとき、施設更新データ記憶部１５では、「１００円ショップ００１ｒ−００１」の施設更新データは消去せずに、理髪店００１ｒ−００２」の施設更新データが新たに追加して記憶される。この場合、更新後の施設の詳細情報を示す画面で履歴ボタン４８を押下すると、図１７に示すように、「Ｂレストラン００１ｒ」、「１００円ショップ００１ｒ−００１」、および「理髪店００１ｒ−００２」が更新日の順に表示される。
【００５２】
図１５のアイコンボタン４９を押下すると、図１８に示すように、施設のアイコンを選択する画面が表示部４に表示される。図１８に示すアイコンは、施設データを地図上に表示するときに使用する地図データ記憶装置２０に記憶されているアイコンと同じである。図１８に示す複数のアイコンのうちのいずれかを押下すると、更新後の施設のアイコンとして使用する。すなわち、図１０の施設種別４１は、図１８で選択したアイコンに対応する施設種別に変更される。通常、施設種別４１は、施設更新メールの件名３１のテキストから判断するが、施設種別を正確に判断することができない場合であっても、図１８に示す画面から施設種別を選択することができる。なお、図１０のアイコンデータ４４は図８の添付ファイル３３から作成したアイコンを使用し、図１０の施設種別４１のみを変更する場合は、図１８における「学校」または「駅」等のテキスト部分を押下することによって施設種別４１のみを変更することができる。操作部１９を介して図１８のスクロールバー５０を操作すると、図１８に示す画面が上下にスクロールし、他のアイコンおよび施設種別を表示することができる。
【００５３】
もし、図８に示す施設更新メールに添付ファイル３３が貼付されていない場合、施設更新データ作成部３は、件名３１のテキストを解析して施設種別を特定し、図１８に示す施設種別に応じたアイコンを更新後の施設のアイコンとする。一方、施設更新データ作成部３が件名３１のテキストを解析して施設種別を特定することができなかった場合は、施設種別が不明であることを示す空白アイコンを更新後の施設のアイコンとする。しかし、この場合において、図１８に示す画面から施設種別を選択すれば、当該施設種別に応じたアイコンに変更することができる。
【００５４】
図１４において、今昔ボタン４６は、地図を表示する画面において、過去に変更された施設のアイコンが表示されているときのみに表示されるボタンである。今昔ボタン４６の「昔」と記された下向き矢印を押下すると、過去の施設のアイコンを地図上に表示させることができる。過去に施設が複数回変更されている場合、下向き矢印を押下するごとに、現在から過去に向かって施設のアイコンが順に表示される。また、今昔ボタン４６の「今」と記された上向き矢印を押下すると、現在の施設のアイコンを地図上に表示させることができる。なお、今昔ボタン４６に記されている日付は、施設更新データに含まれている更新日付に対応している。
【００５５】
＜動作＞
次に、上記で説明したデータ更新装置５の動作について説明する。
【００５６】
図１９は、表示部４に表示する施設を更新する場合におけるデータ更新装置５の動作の一例を示すフローチャートである。
【００５７】
ステップＳ１０１において、メール受信部２は、ユーザ端末２１から施設更新メールを受信したか否かを判断する。メール受信部２は、施設更新メールを受信するまでステップＳ１０１の処理を繰り返し、施設更新メールを受信するとステップＳ１０２に移行する。
【００５８】
ステップＳ１０２において、メール受信部２は、表示部４が表示している画面を確認する。ステップＳ１０３において、メール受信部２は、表示部４が表示している画面から、更新する施設を特定したか否かを判断する。具体的には、メール受信部２は、表示部４が、例えば図５に示す施設リスト、図６に示す施設周辺の地図、または図７に示す施設の詳細情報等、施設に関係する画面を表示している場合、更新する施設を特定したと判断し、ステップＳ１０４に移行する。一方、例えば図２０に示す自車両２３を示すマークを表示した地図画面、図２１に示す登録地の文字列を入力する画面、または経路誘導に関する様々な画面等、施設とは関係ない画面を表示部４が表示している場合、メール受信部２は更新する施設を特定することができないと判断し、ステップＳ１０６に移行する。
【００５９】
ステップＳ１０４において、施設更新データ作成部３は、メール受信部２が受信した施設更新メールに基づいて施設更新データを作成する。そして、施設更新データ作成部３は、作成した施設更新データを施設更新データ記憶部１５に記憶するとともに、施設更新データが作成された旨をメール文作成部７に伝達する。
【００６０】
ステップＳ１０５において、メール文作成部７は、施設が更新された旨のメール文を作成する。具体的には、メール文作成部７は、定型文である「『変更前の施設名称』は『変更後の施設名称』に変更されました。」における『変更前の施設名称』および『変更後の施設名称』の各々に実際の施設名称のテキストを挿入してメール文を作成する。例えば、図８に示す施設更新メールに基づいて施設更新データが作成された場合、メール文作成部７は「Ｂレストランは１００円ショップに変更されました。」というメール文を作成してメール送信部８に伝達する。
【００６１】
ステップＳ１０６において、施設更新データ作成部３は、更新する施設が特定できない旨をメール文作成部７に伝達する。ステップＳ１０７において、メール文作成部７は、更新する施設が特定できない旨のメール文を作成する。具体的には、メール文作成部７は、定型文である「変更前の施設が特定できません。変更前の施設を画面に表示してからメールを送って下さい。」というメール文を作成する。
【００６２】
ステップＳ１０８において、メール送信部８は、メール文作成部７が作成したメール文をユーザ端末２１に送信する。
【００６３】
図２２は、自車両２３のエンジンがかかっていない状態、すなわち自車両２３のエンジンが動作していない状態でユーザ端末２１から施設更新メールが送信された場合におけるデータ更新装置５の動作の一例を示すフローチャートである。自車両２３のエンジンがかかっていない状態でユーザ端末２１から施設更新メールが送信されると、当該施設更新メールは外部のサーバであるメールセンターに一時的に保存される。
【００６４】
ステップＳ２０１において、メール受信部２は、自車両２３のエンジンが起動しているか、すなわち自車両２３のエンジンが始動しているか否かを判断する。メール受信部２は、自車両２３のエンジンが起動するまでステップＳ２０１の処理を繰り返し、自車両２３のエンジンが起動するとステップＳ２０２に移行する。なお、本実施の形態１では、メール受信部２が自車両２３のエンジンが起動しているか否かを判断しているが、メール処理部６の図示しない他の構成要素が当該判断を行ってもよい。
【００６５】
ステップＳ２０２において、メール受信部２は、メールセンターに新着メールの有無の問い合わせをする。ステップＳ２０３において、メール受信部２は、メールセンターに新着メールがあるか否かを判断する。具体的には、メール受信部２は、自車両２３のエンジンがかかっていない状態でユーザ端末２１から送信された施設更新メールがメールセンターに保存されているか否かを判断する。メールセンターに新着メールがある場合は、ステップＳ２０４に移行する。一方、メールセンターに新着メールがない場合は、図２２の動作を終了する。なお、本実施の形態１では、メール受信部２がメールセンターに新着メールの有無の問い合わせを行っているが、メール処理部６の図示しない他の構成要素が当該問い合わせを行ってもよい。
【００６６】
ステップＳ２０４において、メール受信部２がメールセンターに新着メールがあると判断すると、施設更新データ作成部３は施設の更新が無効である旨をメール文作成部７に伝達する。ステップＳ２０５において、メール文作成部７は、施設の更新が無効である旨のメール文を作成する。具体的には、メール文作成部７は、定型文である「自車両のエンジンがかかっていなかったので、施設の更新ができませんでした。」というメール文を作成してメール送信部８に伝達する。ステップＳ２０６において、メール送信部８は、メール文作成部７が作成したメール文をユーザ端末２１に送信する。
【００６７】
以上のことから、本実施の形態１によれば、表示部４に施設に関する情報が表示されているときにユーザ端末２１から受信した施設更新メールに基づいて、表示部４に表示されている施設に関する情報を更新するため、簡単に施設情報の更新を行って施設に関する情報の更新に係るメーカーおよびユーザの双方の負担を大幅に減らすことが可能となる。また、表示部４に表示されている施設の情報と実在する施設とが異なる場合において、ユーザは施設の更新に関する情報をメールで送信すれば良いため、簡単に施設の情報の更新を行うことができる。
【００６８】
＜実施の形態２＞
実施の形態１では、図１４に示す今昔ボタン４６を押下すると、単に施設のアイコンが切り替わるだけであった。本発明の実施の形態２では、今昔ボタン４６を押下すると、変更した施設のアイコンが分かるようにアイコンの色を変化させることを特徴としている。本実施の形態２によるデータ更新装置の構成および基本的な動作は、実施の形態１によるデータ更新装置５と同様であるため、ここでは詳細な説明を省略する。
【００６９】
例えば、図２３に示すように、ホテルアイコン５１、レストランアイコン５２、薬局アイコン５３、およびガソリンスタンドアイコン５４が表示部４の地図画面に表示されている。このような状態で、ユーザ２４が今昔ボタン４６の「昔」と記された下向き矢印を押下して日付を「２０１７／２／９」から「２０１６／８／８」に変更すると、図２４に示すように、ホテルアイコン５１はアパートアイコン５５に変化し、薬局アイコン５３は雑貨屋アイコン５６に変化する。このとき、アパートアイコン５５および雑貨屋アイコン５６は、現在は無くなっている施設であることを示すために、色が他のアイコンよりも少し暗い色で表示される。
【００７０】
以上のことから、本実施の形態２によれば、今昔ボタン４６を押下して過去の地図を表示する際、現在は無くなっている施設のアイコンの色を他のアイコンと区別して表示している。従って、ユーザは、過去にあったが現在は無くなっている施設を容易に把握することができる。
【００７１】
＜実施の形態３＞
実施の形態１では、施設種別ごとに同じアイコンを表示する場合について説明した。本発明の実施の形態３では、例えば全国展開しているチェーン店等に特有のロゴをアイコンとして使用することを特徴としている。本実施の形態３によるデータ更新装置の構成および基本的な動作は、実施の形態１によるデータ更新装置５と同様であるため、ここでは詳細な説明を省略する。
【００７２】
例えば、図１１に示す施設種別変換表において、施設の名称がそのまま検索テキストとして使用される。施設更新データ作成部３は、当該施設の名称を施設種別４１として施設更新データを作成する。
【００７３】
また、図１８に示す画面では、施設のロゴがそのまま施設のアイコンとして使用される。図１８に示す画面でユーザが施設のロゴを押下すると、当該ロゴが施設のアイコンとして地図上に表示される。
【００７４】
以上のことから、本実施の形態３によれば、施設のロゴをアイコンとして表示するため、ユーザは容易に施設を特定することができる。
【００７５】
＜実施の形態４＞
実施の形態１によるデータ更新装置５は、任意のユーザ端末２１から送信された施設更新メールに基づいて施設の更新を行うことが可能である。本発明の実施の形態４では、特定のユーザ端末２１から送信された施設更新メールのみを受け付けることを特徴としている。本実施の形態４によるデータ更新装置の構成および基本的な動作は、実施の形態１によるデータ更新装置５と同様であるため、ここでは詳細な説明を省略する。
【００７６】
例えば、メール処理部６にユーザ端末２１のメールアドレスを予め登録しておき、登録したメールアドレスから送信された施設更新メールのみを受け付ける。登録したメールアドレス以外のメールアドレスから施設更新メールを受信した場合は、「このメールアドレスから施設の更新はできません。」といった返信メールを送信する。
【００７７】
なお、メール処理部６に登録可能なメールアドレスは複数であってもよく、削除または変更ができるようにしてもよい。このようにしておけば、例えば、自車両２３の持ち主の家族の端末から施設の更新を行うことができる。
【００７８】
以上のことから、本実施の形態４によれば、登録したメールアドレスから送信された施設更新メールのみ受け付けるため、他人の端末からの不正な操作を防止することができる。
【００７９】
＜実施の形態５＞
実施の形態１では、施設更新データ作成部３が作成した施設更新データは施設更新データ記憶部１５に記憶され、地図データ記憶装置２０に記憶されている施設データは変化しない。本発明の実施の形態５では、施設更新データ作成部３が作成した施設更新データを用いて、地図データ記憶装置２０に記憶されている施設データを更新することを特徴とする。その他の構成および基本的な動作は、実施の形態１によるデータ更新装置５と同様であるため、ここでは詳細な説明を省略する。
【００８０】
図２５は、本実施の形態５によるデータ更新装置５７の構成の一例を示すブロック図である。データ更新装置５７は、実施の形態１によるデータ更新装置５が備えている施設更新データ記憶部１５を備えていない。その他の構成および基本的な動作は、実施の形態１と同様であるため、ここでは詳細な説明を省略する。
【００８１】
地図データ記憶装置２０は、地図データの書き換えが可能な外部装置である。施設更新データ作成部３が作成した施設更新データを用いて、地図データ記憶装置２０が記憶している地図データを更新することができる。
【００８２】
例えば、図８に示す施設更新メールを用いて図９に示す施設データを更新すると、図２６に示すような施設データとなる。図２６において、シリアル番号５８、緯度経度５９、および住所６２は、図９に示す施設データを引き継いでいる。また、施設種別６０、施設名称６１、詳細情報６３、アイコンデータ６４、および更新日付６５は、図８に示す施設更新メールに基づいて作成される。このように、施設更新データ作成部３が作成した施設更新データは、地図データ記憶装置２０が記憶している施設データを上書きして記憶される。
【００８３】
以上のことから、本実施の形態５によれば、地図データ記憶装置２０に記憶されている施設データを更新することができる。
【００８４】
＜実施の形態６＞
図２７は、本発明の実施の形態６によるデータ更新装置６６の構成の一例を示すブロック図である。図２７に示すように、データ更新装置６６は、電話部６７およびインターネット通信部６８を備えることを特徴としている。その他の構成および基本的な動作は、実施の形態１によるデータ更新装置５と同様であるため、ここでは詳細な説明を省略する。なお、実際には外部とアクセスするための様々な外部装置が付随しているが、図２７では図示を省略している。
【００８５】
図２８は、図８に示す施設更新メールの内容３２に記載されている電話番号のテキストおよびＵＲＬのテキストを抽出し、電話番号に対応する電話ボタン６９、およびＵＲＬに対応するインターネットボタン７０を、施設の詳細情報の画面に表示した一例を示す図である。なお、図８に示す施設更新メールにメールアドレスのテキストがある場合は、図２８に示す画面にメールボタンが追加される。
【００８６】
ユーザが操作部１９を操作して電話ボタン６９またはインターネットボタン７０のいずれかを押下すると、更新後の施設である「１００円ショップ００１ｒ−００１」に電話を掛けたり、「１００円ショップ００１ｒ−００１」のホームページを表示したりすることができる。なお、施設更新メールの内容３２に記載されているテキストを解析して電話番号、ＵＲＬ、およびメールアドレスを抽出する方法は、公知の技術を用いればよい。
【００８７】
以上のことから、本実施の形態６によれば、施設更新メールに含まれているテキストを抽出し、外部にアクセス可能な機能を利用できるようにすることができる。
【００８８】
なお、本発明は、その発明の範囲内において、各実施の形態を自由に組み合わせたり、各実施の形態を適宜、変形、省略することが可能である。
【符号の説明】
【００８９】
１  データ更新装置、２  メール受信部、３  施設更新データ作成部、４  表示部、５  データ更新装置、６  メール処理部、７  メール文作成部、８  メール送信部、９  ナビゲーション処理部、１０  位置検出部、１１  経路探索部、１２  経路記憶部、１３  経路案内部、１４  表示制御部、１５  施設更新データ記憶部、１６  ＧＰＳセンサ、１７  車輪速センサ、１８  角速度センサ、１９  操作部、２０  地図データ記憶装置、２１  ユーザ端末、２２  表示部、２３  自車両、２４  ユーザ、２５  プロセッサ、２６  メモリ、２７  詳細情報ボタン、２８  登録地設定ボタン、２９  目的地設定ボタン、３０  宛先、３１  件名、３２  内容、３３  添付ファイル、３４  シリアル番号、３５  緯度経度、３６  施設種別、３７  施設名称、３８  住所、３９  詳細情報、４０  シリアル番号、４１  施設種別、４２  施設名称、４３  詳細情報、４４  アイコンデータ、４５  更新日付、４６  今昔ボタン、４７  戻すボタン、４８  履歴ボタン、４９  アイコンボタン、５０  スクロールバー、５１  ホテルアイコン、５２  レストランアイコン、５３  薬局アイコン、５４  ガソリンスタンドアイコン、５５  アパートアイコン、５６  雑貨屋アイコン、５７  データ更新装置、５８  シリアル番号、５９  緯度経度、６０  施設種別、６１  施設名称、６２  住所、６３  詳細情報、６４  アイコンデータ、６５  更新日付、６６  データ更新装置、６７  電話部、６８  インターネット通信部、６９  電話ボタン、７０  インターネットボタン。
【図１】
2018194989.tif 000003
【図２】
2018194989.tif 000004
【図３】
2018194989.tif 000005
【図４】
2018194989.tif 000006
【図５】
2018194989.tif 000007
【図６】
2018194989.tif 000008
【図７】
2018194989.tif 000009
【図８】
2018194989.tif 000010
【図９】
2018194989.tif 000011
【図１０】
2018194989.tif 000012
【図１１】
2018194989.tif 000013
【図１２】
2018194989.tif 000014
【図１３】
2018194989.tif 000015
【図１４】
2018194989.tif 000016
【図１５】
2018194989.tif 000017
【図１６】
2018194989.tif 000018
【図１７】
2018194989.tif 000019
【図１８】
2018194989.tif 000020
【図１９】
2018194989.tif 000021
【図２０】
2018194989.tif 000022
【図２１】
2018194989.tif 000023
【図２２】
2018194989.tif 000024
【図２３】
2018194989.tif 000025
【図２４】
2018194989.tif 000026
【図２５】
2018194989.tif 000027
【図２６】
2018194989.tif 000028
【図２７】
2018194989.tif 000029
【図２８】
2018194989.tif 000030